(57)【要約】　　　（修正有）【課題】読み取り易く、構造が簡単、薄型で、製造が容易な電気機械式時計のムーブメント用の日付表示装置を提供する。【解決手段】一方が０から９の連続する数字列を少なくとも１つ有し、他方が０から３の連続する数字列を有する一の位表示部材及び十の位表示部材からなる日付表示装置であって、一の位表示部材１及び十の位表示部材２が、大きな窓の空間に二つの数字が並んで表示されるように互いに対して配置され、一方の数字が一の位表示部材１によって担持され、他方の数字が十の位表示部材２によって担持されているものにおいて、一の位表示部材１が、それぞれが０から９の数字を担持する１０個の扇形部分又は１０の倍数の扇形部分に分割され、９個の扇形部分ａが、数字０と１、１と２、…８と９を分離し、かつ数字０と数字９を分離する扇形部分ｂの延伸する角度の４／５倍に等しい延伸角度を有する。【選択図】　図１
2004045377.tif 000002
【特許請求の範囲】
【請求項１】
一方が０から９の連続する数字列を少なくとも１つ有し、他方が０から３の連続する数字列を有する一の位表示部材及び十の位表示部材からなる日付表示装置であって、当該一の位表示部材（１）及び十の位表示部材（２）が、大きな窓の空間に二つの数字が並んで表示されるように互いに対して配置され、一方の数字が前記一の位表示部材（１）によって担持され、他方の数字が前記十の位表示部材（２）によって担持されているものにおいて、
前記一の位表示部材（１）が、それぞれが０から９の数字を担持する１０個の扇形部分又は１０の倍数の扇形部分に分割され、
９個の扇形部分（ａ）が、数字０と１、１と２、…８と９を分離し、かつ数字９と数字０を分離する扇形部分（ｂ）の延伸する角度の４／５倍に等しい延伸角度を有する日付表示装置。
【請求項２】
前記一の位表示部材が、内側歯（３）又は外側歯を有するリング（１）であり、この歯（３）が、ディスクから形成されている前記十の位表示部材（２）に固定されているピニオン４と係合する請求項１記載の日付表示装置。
【請求項３】
前記一の位表示リング（１）が０から９の連続する数字列を一つ有し、前記十の位表示ディスク（２）が０から３の連続する数字列を一つ有する請求項２記載の日付表示装置。
【請求項４】
前記一の位表示リング（１）の全ての小扇形部分（ａ）が、前記表示リング（１）の歯（３）の等しい歯数に対応し、かつこの歯数が、前記ピニオン（４）の歯数にも等しく、一方、数字９と数字０を分離する大扇形部分（ｂ）に対応する前記一の位表示リング（１）の歯（３）の歯数が、前記小扇形部分（ａ）に対応する歯数の５／４倍に等しい請求項２又は３に記載の日付表示装置。
【請求項５】
前記一の位表示リング（１）が０の位置に１を表示し、１の位置に２を表示し、…８の位置に９を表示するのに対応する大きさの角度だけ移動する際には、前記十の位表示ディスク（２）が完全な回転を行うが、前記一の位表示リング（１）が９の位置に０を表示するのに対応する大きさの角度だけ移動する際には、前記十の位表示ディスク（２）が一と四分の一回の回転を行う請求項２〜４のいずれか１項記載の日付表示装置。
【請求項６】
前記ピニオン（４）及び前記十の位表示ディスク（２）が、電子回路によって制御されるマイクロモータによって駆動される請求項１〜５のいずれか１項記載の日付表示装置。
【請求項７】
前記一の位表示リング（１）の歯（３）が、電子回路によって制御されるマイクロモータによって回転駆動されるホイール（７）の歯とも係合している請求項１〜５のいずれか１項記載の日付表示装置。
【請求項８】
前記ホイール（７）の歯数が、前記ピニオン（４）の歯数の完全な整数倍である請求項７記載の日付表示装置。
【発明の詳細な説明】
【０００１】
【発明の属する技術分野】
本発明は、日付を表示する装置に関する。より詳細には、本発明は、０から９の数字を含む一の位表示リングと、０から３の数字を含む十の位表示ディスクよりなる形式の日付表示を含む時計であって、日付が大きな窓に２つの数字が並んで配置されることにより表示され、一方が一の位表示リングに担持され、他方が十の位表示ディスクに担持されている時計に関する。このような装置は、大きな寸法の数字、したがって容易に読み取ることができる数字で日付を表示することを可能とする。
【０００２】
【従来の技術】
日付のこのような表示装置は公知である（例えば特許文献１及び２参照）。これらの特許文献はどちらも、機械式時計用のムーブメントによって駆動される日付表示を開示している。日付表示に対する２つの公知の機構は、比較的複雑であり、いくつかの重ねられた歯車で一の位表示リングをそれぞれ駆動するいくつかの歯車列を必要とし、これらの特許文献に記載される機構は、それらの機構の高い高さを必要とする。
【０００３】
【特許文献１】
欧州特許第０５２９１９１号公報
【０００４】
【特許文献２】
スイス国特許第６８９６０１号公報
【０００５】
【発明が解決しようとする課題】
本発明は、数字が大きな寸法であるために容易に読み取ることができ、かつ単純で、僅かな部品しか必要とせず、容易に製造することができ、僅かな高さの、薄い、電気機械式時計のムーブメント用日付表示装置の提供を課題とする。
【０００６】
【課題を解決するための手段】
電気機械式腕時計用のムーブメントに対して知られている日付表示は、スイス国特許第６４４２３８号公報に開示されているものだけであり、これは、腕時計の伝動装置と全く関係のないマイクロモータの助力により漸次駆動され、０から３１の数字を担持する日付用リングからなる。この装置は、小さな寸法の数字を使用することが必要であり、したがって読み取ることが困難であり、ムーブメントの周辺にのみ配置することが可能な大きな直径のリングを必要とするといった欠点を有する。
【０００７】
本発明の他の目的は、小さな寸法とすることができ、アニュラー又はパーペチャルデイトに容易に利用することができる単純で、容易に読み取ることができる日付表示を提供することである。
【０００８】
その目的に対して、本発明は、「大きな窓の」と呼ばれる日付表示を有し、この日付表示は、装置が存在することの欠点を回避し、０から９の連続する数字列を少なくとも一つ備える一の位に対する表示部材と、０から３の連続する数字列を少なくとも一つ含む十の位表示部材からなり、これらの部材のそれぞれの数字が窓内に並んで表示することができるように、互いに対して配置され、これらの二つの一の位表示部材と十の位表示部材は、他方に対して一方を直接駆動する。これは請求項１に記載する特徴によって特徴付けられている。
【０００９】
【発明の実施の形態】
添付の図面は、本発明の日付表示装置の一実施態様を概略的にかつ一例として示すものである。
【００１０】
本発明の日付表示装置は、「ビッグデイト」タイプであり、０から９の連続する一つの数字列又は０から９の連続する複数の数字列を備える一の位表示部材又はリング１と、０から３の数字又は０から３の連続する複数の数字列を備える十の位表示部材又はディスク２からなり、この一の位表示リング１と十の位表示ディスク２は、一の位表示リング１の数字と十の位表示ディスク２の数字が時計文字盤の単一の大きな窓において並んで見えるように配置されている。
【００１１】
以下に記載する表示装置は、置き時計ムーブメント、機械式、電気式又は電気機械式の如何様な形式にも適用することができるが、特に電気機械式のものに適合する。
【００１２】
図に示す本発明の表示装置は、ここでは一の位表示リング１によって形成されている一の位表示部材と、ここでは十の位表示ディスク２によって形成されている十の位表示部材とからなる。
【００１３】
一の位表示リング１は、同じ枢軸により支持されているピニオン４と係合する内側歯３を備え、それによって十の位表示ディスク２に固定されている。このピニオン４は、一の位表示リング１の歯３と直接係合する。
【００１４】
一の位表示リング１は、それぞれが一の位の数字を担持する１０個の扇形部分に分割され、それによって０から９の連続する数字列を形成する。
【００１５】
扇形部分ａは、０、１、２、３、４、５、６、７及び８の数字を担持し、これらは全てある弓状の長さ、例えば内側歯３のある歯数に相当するある長さと完全に等しい。一の位表示リングの数字９は、それ自体一の位表示リング１の扇形部分ｂに担持され、扇形部分ｂは扇形部分ａよりも大きな弧をもって延伸し、したがって大扇形部分ｂは、小扇形部分ａよりも多くの内側歯３の歯数を含む。
【００１６】
図示する例において、一の位表示リング１の各扇形部分ａは８つの歯を含むが、この一の位表示リング１の扇形部分ｂは１０個の歯を有する。この例において、十の位表示ディスクのピニオン４は８つの歯を有し、これはつまり、０〜８の数字を担持する一の位表示リング１の扇形部分ａに含まれる歯数と全く同じ数である。
【００１７】
ピニオン４に固定されている十の位表示ディスク２は、０〜３の数字をその外周に一様に分配されている。この十の位表示ディスク２は、十の位表示ディスクに担持されている数字の一つが一の位表示リング１によって担持されている数字に並んで配置可能なように配置され、それによって二つの数字が時計文字盤（図示せず）の同じ大きな窓に並んで表示される。
【００１８】
開示する日付表示は、電子回路によって制御される電子マイクロモータによって駆動され、マイクロモータはピニオン４及び十の位表示ディスク２を支持する軸５、あるいは一の位表示リング１の内側歯３と係合するホイール７の軸６のどちらかを直接駆動する。後者の場合には、ホイール７の歯数を任意の数とすることができ、例えばピニオン４又は扇形部分ａの歯数の倍数と完全に等しい歯数とすることができる。
【００１９】
一の位表示リング１の駆動は、ピニオン４の軸５によって行われることが好ましいが、構造上の理由により、すなわちマイクロモータの寸法が軸５を直接駆動することができない場合には、ホイール７による直接駆動が利用される。
【００２０】
開示する表示装置を正しく動作させるには、一の位表示リング１が扇形部分ａに対応する角度だけ移動する際に、十の位表示ディスク２は完全な整数の完全な回転を行い、一の位表示リング１が扇形部分ｂに対応する角度だけ移動する際に、十の位表示ディスク２は完全な整数の回転に加えて四分の一の回転を行うことが必要である。したがって一の位の数字が０から１、１から２、…７から８、８から９に移動する際には、十の位表示ディスク２は一回転し、十の位を示す数字は依然として同じままである。これに対して、９から０に一の位の数字が移動する際には、十の位表示ディスク２は一と四分の一回転し、それによって一の位の数字に並ぶ窓に配置される十の位表示ディスクの数字は、１だけ大きくなる。
【００２１】
したがって表示が、十の位表示ディスク２の連続する０〜３の数字と同様に、一の位表示リング１の連続する０〜９の数字と同じ数含む場合には、ピニオン４の歯数は、一の位表示リング１の扇形部分ａに含まれる歯数と等しいか又はその歯数の完全な整数倍であり、リング１の扇形部分ｂはリング１の扇形部分ａの歯数の１．２５倍の歯数を含むことが必要である。
【００２２】
概して言えば、一の位表示リング１の扇形部分ａ及びｂの歯数並びに、ピニオン４の歯数は、一の位表示リング１が扇形部分ａの一つに対応する角度だけ移動した際、一の位の数字が０から１、１から２、…７から８、８から９に移動する際、ピニオン４したがって十の位表示ディスク２が完全な一回転又は完全な整数の完全な回転を行うような数である。これに対して、一の位表示リング又はクラウン１が扇形部分ｂに対応する角度だけ移動することによって、数字９から０移動することによって、十の位表示ディスク２は一と四分の一の回転、すなわち５／４の回転を行い、それによって一つの十の位の数字から次の十の位の数字への移動が生じ、ｎの５／４倍の回転が生じる。
【００２３】
ピニオン４又はホイール７を駆動するマイクロモータ（図示せず）は、プログラムされ、ホイール７又はピニオン４を扇形部分ａに対応する大きさだけ進め、一の位表示リング１の角度を一日分だけ次に移動させ、扇形部分ｂに対応する大きさだけ進めて十の位を一つ移動させる。マイクロモータの電子制御回路が、２８日の月、３０日の月、３１日の月、閏年又は世紀を考慮可能であることは明らかである。したがって本発明は、アニュラー又はパーペチャルの日付表示を容易にもたらすことができる。
【００２４】
十の位表示ディスク２に固定されているピニオン４をマイクロモータが直接駆動する場合には、マイクロモータは、各月の第１日から第９日まで、完全な一回の回転、すなわち３６０度の回転又は、図示するピニオン４の場合には８つの歯の分だけ回転するように動作する。各月の第１０日には、マイクロモータは、ピニオン４を１．２５回転、すなわち４５０度、又はピニオン４の１０個の歯の分だけ回転するように動作する。したがって各月の最初の９日間は、表示される十の位の数字が同じまま維持され、一方、日付表示の一の位の数字が一日だけ進められると、一の位表示リング１は扇形部分ａだけ、すなわち図示する例では歯数８つだけ駆動される。１０日目、十の位表示ディスク２が一と四分の一回転し、表示される十の位の数字が一つだけ進められ、一方、一の位表示リング１は扇形部分ｂに対応する角度だけ、すなわち図示する例では歯数１０個だけ移動し、表示される一の位の数字は９から０へ変化する。したがってマイクロモータは、１０日から１９日の間、一日に一回転だけピニオン４を再度駆動し、さらに１９日から２０日では、ピニオン４を一と四分の一回転させる。その後月の２０番目からから２９番目の日では、再度マイクロモータは、一日に一回転だけピニオン４を駆動し、さらに２９日から３０日では、ピニオン４を一と四分の一回転させる。以降の日では、マイクロモータはピニオン４を一回転だけ駆動し、表示される日付を３１とする。
【００２５】
一月が３１日ある月の最後では、すなわち３１日と翌月の１日の間では、マイクロモータは、ピニオンを、日付表示が３９になるまで８回完全に回転させ、さらにこの表示が００となるように一と四分の一回転させ、最後に、時計の文字盤の窓に０１が表示されるように再度一回転させる。
【００２６】
一月が３０日ある月の場合には、３０日から翌月の１日への進行は、上述のように、残りの１０日を行う。
【００２７】
一月が２８日ある場合には、マイクロモータは、２８日の夜中に、ピニオンを完全に一回転させて、次に一と四分の一回転させ、さらに３０日ある月と同様に駆動される。
【００２８】
最後に一月が２９日ある場合には、マイクロモータは、２９日の夜中に、ピニオンを一と四分の一回転させ、次に３０日ある月と同様の手順によって駆動される。
【００２９】
したがって、公知の制御回路の助けを借りてマイクロモータをプログラムすることによって、アニュラー又はパーペチャルカレンダーを容易に設けることができる。
【００３０】
本発明の変更例によれば、一の位表示リング１は、０から９の連続する数字列のいくつかからなり、各数字列の９及び０を分離する大扇形部分ｂは、他の数字（０〜８）を分離する小扇形部分ａの弧の長さの５／４倍に等しい長さを有する。
【００３１】
表示装置の多くの変更例は、一の位表示リングと十の位表示ディスクからなり、一の位表示リングが、そのリング上の扇形部分に分配されている０から９の数字を備え、０、１…９の数字を分離する扇形部分が０と９の数字を分離する扇形部分の４／５倍に等しい弧の長さを有し、十の位表示ディスクが、一回又は数回に加えて四分の一回転して、十の位に繰り上げる場合を除いて、一日に一回又は数回の回転を行う。さらに、十の位表示ディスクは、内側の歯と、あるいは所望であれば、一の位表示リングの外側の歯と直接係合するピニオンに固定される。
【００３２】
このような構成は最小の部品しか必要とせず、これらの部品は、低コストで簡単に機械加工又は製造することができ、アセンブリをより小さくすることができる。さらに数字が放射状に配置されている一の位表示リングに対する十の位表示ディスクの位置は、所望のように、窓の位置を選択することが可能である。最後に開示する表示は、時計のムーブメントに対して必ずしも同心上にある必要はなく、そのムーブメントの外縁のみに配置することができる。
【００３３】
【発明の効果】
本発明は、日付を表示する装置に関し、一の位表示部材（１）及び十の位表示部材（２）を含み、これらの部材の一方は０から９までの連続する数字列を少なくとも一つ備え、他方は０から３までの連続する数字列を一つ備え、これらの一の位表示部材及び十の位表示部材は、大きな窓の空間内に２つの数字が並んで表示されるように互いに関連して配置されている。一の位表示部材（１）は、それぞれが０から９の一つの数字を担持する１０個の扇形部分に又は１０の倍数の扇形部分に分割され、数字０と１、１と２、…８と９を分離する９個の扇形部分（ａ）は、数字０を数字９と分離する扇形部分（ｂ）の延伸する角度の４／５倍に等しい角度をもって延伸している。この構成により、数字が大きな寸法であるために容易に読み取ることができ、単純で、僅かな部品しか必要とせず、容易に製造することができ、僅かな高さの、電気機械式時計用のムーブメント用の日付表示装置が提供される。
【図面の簡単な説明】
【図１】本発明による日付表示装置の概略図である。
【符号の説明】
１　　　一の位表示リング
２　　　十の位表示ディスク
３　　　内側歯
４　　　ピニオン
５　　　軸
６　　　軸
７　　　ホイール
ａ　　　扇形部分
ｂ　　　扇形部分
【図１】
2004045377.tif 000003